(57)【要約】【課題】ユーザ自身が視聴した番組の評価を行い、この評価を番組表や自動録画に反映することができる情報処理装置および番組評価システムを提供する。【解決手段】コンピュータ１０は、受信し再生される番組データに対して入力された評価レベルを集計し、インターネット４を介してサーバ装置１に送信し、サーバ装置１により集計された評価結果情報および番組表をサーバ装置１からインターネット４を介して受信し、受信した評価結果情報を番組表に反映して表示する。【選択図】図１
2008199103.tif 000002
【特許請求の範囲】
【請求項１】
ネットワークに接続可能な情報処理装置であって、
番組データを受信する番組受信手段と、
前記番組受信手段によって受信される番組データを再生する再生手段と、
前記再生手段によって再生される番組データに対する評価情報を前記ネットワークを経由して所定のサーバ装置に送信するデータ送信手段と、
前記評価情報を前記サーバにより集計して評価結果情報とし、前記評価結果情報および番組表情報を前記サーバ装置から受信するデータ受信手段、
前記データ受信手段により受信した前記評価結果情報を前記番組表情報に反映して表示する表示手段と、
を具備することを特徴とする情報処理装置。
【請求項２】
請求項１に記載の情報処理装置において、
前記評価情報は、所定の基準を用いて段階を定めたものであることを特徴とする情報処理装置。
【請求項３】
請求項１に記載の情報処理装置において、
前記評価情報は、番組名および出演者のいずれか１つ以上についての評価であることを特徴とする情報処理装置。
【請求項４】
請求項１に記載の情報処理装置において、
前記前記サーバ装置により集計された評価情報は、前記番組データ毎に分類されてデータベース化されることを特徴とする情報処理装置。
【請求項５】
請求項１に記載の情報処理装置において、
前記番組表情報は、前記評価結果情報を反映した場合、番組の評価の高低によって色分けして表示することを特徴とする情報処理装置。
【請求項６】
請求項１に記載の情報処理装置において、
前記番組表情報は、前記評価結果情報を反映した場合、番組名に対応した評価レベルを表示することを特徴とする情報処理装置。
【請求項７】
請求項６に記載の情報処理装置において、
前記評価レベルの表示を行う場合、表示の有無および表示の評価レベルを選択可能であることを特徴とする情報処理装置。
【請求項８】
請求項１に記載の情報処理装置において、
前記評価結果情報に基づいて、所定の評価レベルに達している番組を自動録画の対象とすることを特徴とする情報処理装置。
【請求項９】
ネットワークに接続可能な情報処理装置と、当該情報処理装置と前記ネットワークを介して接続されたサーバ装置とから構成される番組評価システムであって、
前記情報処理装置は、
番組データを受信する番組受信手段と、
前記番組受信手段によって受信される番組データを再生する再生手段と、
前記再生手段によって再生される番組データに対する評価情報を前記ネットワークを経由して所定のサーバ装置に送信するデータ送信手段と、
前記サーバ装置で集計された評価結果情報および番組表情報を前記サーバ装置から受信するデータ受信手段と、
前記データ受信手段によって受信された前記評価結果情報を前記番組表情報に反映して表示する表示手段と、
サーバ装置は、
前記情報処理端末から前記評価情報を受信する受信手段と、
前記受信手段で受信した前記評価情報を前記評価結果情報として集計する集計手段と、
前記評価結果情報および前記番組表情報を前記情報処理装置に送信する送信手段と、
を具備することを特徴とする番組評価システム。
【発明の詳細な説明】
【技術分野】
【０００１】
本発明は、番組表を用いて録画予約を行う情報処理装置および番組評価システムに関する。
【背景技術】
【０００２】
近年、パーソナルコンピュータに内蔵されたＴＶチューナーで番組表を受信し、この番組表を用いて番組を予約録画するユーザが増えてきている。また、ＤＶＤレコーダやＨＤＤレコーダ等を用いても同様の録画を行うことができる。これらの予約録画処理においては、あらかじめキーワードを設定しておき、キーワードに一致した番組を自動録画する機能を備えたものもある。さらに、録画した番組の視聴傾向によって、ユーザの好みを学習して自動録画に反映する技術も開示されている（特許文献１参照）。
【特許文献１】特開２００２−３３５５４４号公報
【発明の開示】
【発明が解決しようとする課題】
【０００３】
しかし、特許文献１の技術では、ユーザの好みを学習する場合、必ずしもユーザの好みを反映しているとは限らず、精度が悪い場合もある。
【０００４】
本発明は上述の事情を考慮してなされたものであり、ユーザ自身が視聴した番組の評価を行い、この評価を番組表や自動録画に反映することができる情報処理装置および番組評価システムを提供することを目的とする。
【課題を解決するための手段】
【０００５】
上記目的を達成するために、本発明の一態様によれば、ネットワークに接続可能な情報処理装置であって、番組データを受信する番組受信手段と、前記番組受信手段によって受信される番組データを再生する再生手段と、前記再生手段によって再生される番組データに対する評価情報を前記ネットワークを経由して所定のサーバ装置に送信するデータ送信手段と、前記評価情報を前記サーバにより集計して評価結果情報とし、前記評価結果情報および番組表情報を前記サーバ装置から受信するデータ受信手段、前記データ受信手段により受信した前記評価結果情報を前記番組表情報に反映して表示する表示手段とを具備することを特徴とする情報処理装置が提供される。
【０００６】
また、ネットワークに接続可能な情報処理装置と、当該情報処理装置と前記ネットワークを介して接続されたサーバ装置とから構成される番組評価システムであって、前記情報処理装置は、番組データを受信する番組受信手段と、前記番組受信手段によって受信される番組データを再生する再生手段と、前記再生手段によって再生される番組データに対する評価情報を前記ネットワークを経由して所定のサーバ装置に送信するデータ送信手段と、前記サーバ装置で集計された評価結果情報および番組表情報を前記サーバ装置から受信するデータ受信手段と、前記データ受信手段によって受信された前記評価結果情報を前記番組表情報に反映して表示する表示手段と、サーバ装置は、前記情報処理端末から前記評価情報を受信する受信手段と、前記受信手段で受信した前記評価情報を前記評価結果情報として集計する集計手段と、前記評価結果情報および前記番組表情報を前記情報処理装置に送信する送信手段とを具備することを特徴とする番組評価システムが提供される。
【０００７】
上記目的を達成するために、本発明の一態様によれば、ネットワークに接続可能な情報処理装置であって、番組データを番組受信手段と、前記受信手段によって受信される番組データを再生する再生手段と、前記再生手段によって再生される番組データに対する評価情報を前記ネットワークを経由して所定のサーバ装置に送信するデータ送信手段と、前記評価情報を前記サーバにより集計して評価結果情報とし、前記評価結果情報および番組表情報を前記サーバ装置から受信するデータ受信手段、前記データ受信手段により受信した前記評価結果情報を前記番組表情報に反映して表示する表示手段とを具備することを特徴とする情報処理装置が提供される。
【発明の効果】
【０００８】
本発明によれば、ユーザ自身が視聴した番組の評価を行い、この評価を番組表や自動録画に反映することができる。
【発明を実施するための最良の形態】
【０００９】
以下、図面を参照して本発明の実施形態を説明する。
【００１０】
図１に示すように、本発明の実施形態に係る番組評価システムは、サーバ装置１と、当該サーバ装置１が接続可能なインターネット４と、情報処理装置であるコンピュータ１０とから構成される。サーバ装置１は、コンピュータ１０から受信した番組の評価情報を集計して、評価結果情報を作成する評価結果情報作成部２、通信部（送信・受信部）３を備える。
【００１１】
コンピュータ１０の本体側は薄い箱形の筐体を有しており、その上面には、キーボード１３、パームレスト上にはタッチパッド３５、および左右２つのボタン、メール等の各種ショートカットボタン、音量制御ボタン、電源ボタン１４、スピーカ等が配置されている。また、本体の側面には、光学ドライブ等が設けられている。そして、パームレスト中には、ＴＶチューナーユニット（番組受信手段）２７が内蔵されている。
【００１２】
図２は、コンピュータ１０の構成を示したブロック図である。
【００１３】
このパーソナルコンピュータ１０は、図示のように、ＣＰＵ（Central Processing Unit）１１、ノースブリッジ１２、主メモリ３８、グラフィクスコントローラ１７、表示装置（ＬＣＤ）１５、サウスブリッジ１６、ハードディスクドライブ（ＨＤＤ）２０、ＢＩＯＳ−ＲＯＭ２１、エンベデッドコントローラ／キーボードコントローラＩＣ（ＥＣ／ＫＢＣ）２２、および電源コントローラ（ＰＳＣ）２３、キーボード（ＫＢ）１３、タッチパッド３５、ＴＶチューナーユニット２７、ＩＰ（Internet Protocol）接続部（データ受信手段、データ送信手段）５０などを備えている。ＨＤＤ２０には、後述するＴＶアプリケーション６０、個人用評価情報データベース等が記憶されており、主メモリ３８にロードされ動作する。
【００１４】
ノースブリッジ１２、グラフィクスコントローラ１７、サウスブリッジ１６の各々は、PCI EXPRESS規格に準拠したデバイス（コンポーネント）である。ノースブリッジ１２とグラフィクスコントローラ１７との間の通信は、ノースブリッジ１２とグラフィクスコントローラ１７との間に配設されたPCI EXPRESSリンク２１を介して実行される。各PCI EXPRESSリンクはシリアルインタフェースから構成される通信路であり、アップストリームレーンおよびダウンストリームレーンを含む。
【００１５】
ＣＰＵ１１は本コンピュータの動作を制御するプロセッサであり、ＨＤＤ２０から主メモリ３８にロードされる各種プログラム（オペレーティングシステム、ＴＶアプリケーション６０等）を実行する。また、ＣＰＵ１１は、ＢＩＯＳ−ＲＯＭ２１に格納されたＢＩＯＳ（Basic Input Output System）も実行する。ＢＩＯＳはハードウェアを制御するためのプログラムである。また、ＢＩＯＳは、PCI Express 規格で規定されたActive State Power Management （ASPM）機能の実行を本コンピュータの動作モードに応じて動的に許可または禁止するためのＳＭＩ（System Management Interrupt）ルーチンを有している。
【００１６】
ノースブリッジ１２はＣＰＵ１１のローカルバスとサウスブリッジ１６との間を接続するブリッジデバイスである。ノースブリッジ１２には、主メモリ３８をアクセス制御するメモリコントローラも内蔵されている。また、ノースブリッジ１２は、PCI EXPRESSリンク２１を介してグラフィクスコントローラ１７との通信を実行する機能も有している。
【００１７】
グラフィクスコントローラ１７は本コンピュータのディスプレイモニタとして使用されるＬＣＤ１５を制御する表示コントローラである。
【００１８】
サウスブリッジ１６は、ＰＣＩブリッジ４０を介して接続されたＩＰ接続部５０、ＴＶチューナーユニット２７等との通信を実行する機能等を有している。また、サウスブリッジ１６は、ＬＰＣ（Low Pin Count）バス３０上の各デバイスの制御も実行する。
【００１９】
エンベデッドコントローラ／キーボードコントローラＩＣ（ＥＣ／ＫＢＣ）２２は、電力管理のためのエンベデッドコントローラと、キーボード（ＫＢ）１３およびタッチパッド３５を制御するためのキーボードコントローラとが集積された１チップマイクロコンピュータである。このエンベデッドコントローラ／キーボードコントローラＩＣ（ＥＣ／ＫＢＣ）２２は、ユーザによるパワーボタン２４１４の操作に応じて、電源コントローラ（ＰＳＣ）２３と共同して、本コンピュータ１０をパワーオン／パワーオフする機能を有している。さらに、エンベデッドコントローラ／キーボードコントローラＩＣ（ＥＣ／ＫＢＣ）２２は、本コンピュータに対するＡＣアダプタ２８の接続および取り外しを検出する機能も有している。
【００２０】
図３は、主メモリ３８にロードされ、ＣＰＵ１１によって実行されるＴＶアプリケーション６０の機能ブロック図を示したものである。
【００２１】
ＴＶアプリケーション６０は、集計・制御部６１、再生部６２、表示部６３、送信・受信部６４を備えている。集計・制御部６１は、録画された番組データの視聴後（視聴中も含む）にユーザによって入力された番組の評価情報を集計する。集計された評価情報は、番組ごとや出演者ごと等に分類された個人用データベース（後述）としてＨＤＤ２０に記憶される。再生部６２は、送信・受信部６４によって受信された番組データをリアルタイムで再生したり、ＨＤＤ２０に記録された番組データを再生したりする。表示部６３は、再生部６２で再生した番組データや、番組表等の表示画面をグラフィクスコントローラ１７の制御の下、ＬＣＤ１５に表示する制御を行う。
【００２２】
表示部６３によって、上述した番組表は以下のようにして作成される。ＨＤＤ２０に記憶された評価情報を送信・受信部６４によってサーバ装置１に送信する。サーバ装置１は、受信した評価情報を集計し、集計された評価情報から評価結果情報を作成する。この評価結果情報と番組表情報とを送信・受信部６４によって受信し、受信した評価結果情報を番組表情報に反映する。受信した評価結果情報を番組表情報に反映した番組表は、例えば、番組名と併記して評価レベルを表示したり、評価レベルごとに色分けして表示する（後述）。なお、評価情報はサーバ装置１から取得し、番組表情報はＴＶチューナーユニット２７で受信する放送波に重畳されるデータを使用して取得しても良い。
【００２３】
次に、図４のフローチャートを参照して、本発明の実施形態に係る情報処理装置および番組評価システムを適用した番組評価処理について説明する。
【００２４】
まず、ＴＶチューナーユニット２７によって番組データを受信する。
【００２５】
ＴＶアプリケーション６０は、受信された番組データが視聴（再生部６２によって再生）されると（ステップＳ１０１）、視聴（再生）後にユーザによって視聴された番組の評価が行われ（ステップＳ１０２）、評価情報としてＨＤＤ２０に記憶される（ステップＳ１０３）。なお、本実施形態では、受信された番組を視聴（再生）した後に番組の評価を行うについて説明するが、番組の評価を行うのは、「受信された番組をリアルタイムで視聴（再生）しているとき」、「受信された番組をリアルタイムで視聴（再生）後」、「受信された番組をＨＤＤ２０等に記憶し、ＨＤＤ２０から読み出しながら視聴（再生）を行っているとき」、「受信された番組をＨＤＤ２０等に記憶し、ＨＤＤ２０から読み出しながら視聴（再生）を行った後」等、番組の評価を行うタイミングは任意に決めることができ、限定されるものではない。すなわち、番組を録画せずにＴＶアプリケーション６０によってリアルタイムに視聴（再生）のみを行う場合にも、視聴（再生）後および視聴（再生）中に評価を行うことができる。さらには、録画しながら再生を行うタイムシフト再生（録画が終了する前に録画した番組を再生する再生方法）においても同様に視聴（再生）後および視聴（再生）中の評価が可能であり、限定されるものではない。なお、番組の評価は、例えば１〜５の５段階評価を用い、５が一番評価がよいものとする。
【００２６】
ＴＶアプリケーション６０の集計・制御部６１は、ＨＤＤ２０に記憶された評価情報を集計し（ステップＳ１０３）、個人用データベースとしてＨＤＤ２０に記憶する。個人用データベースは、例えば図５に示すように、番組名のデータベースとして作成する場合は、番組ごと（番組Ａ、番組Ｂ、番組Ｃ）に評価レベル値（１〜５）を加算していく。例えば、番組Ａについては、評価が１であった回数が１回、評価が２であった回数が０回、評価が３であった回数が１回、評価が４であった回数が０回、評価が５であった回数が０回であり、評価（レベル）の合計は２（１＋０＋１＋０＋０＝２）、評価（レベル）の平均値は１（１＋１／２回＝１）、評価回数は２回、最終評価日は２００６／１／１０となっている。
【００２７】
さらに、例えば図６に示すように、出演者のデータベースとして作成する場合は、出演者ごと（出演者Ａ、出演者Ｂ、出演者Ｃ）に評価レベル値（１〜５）を加算していく。例えば、出演者Ｂについては、評価が１であった回数が０回、評価が２であった回数が０回、評価が３であった回数が０回、評価が４であった回数が０回、評価が５であった回数が１回であり、評価（レベル）の合計は５（０＋０＋０＋０＋５＝５）、評価（レベル）の平均値は５（５／１回＝５）、評価回数は１回、最終評価日は２００６／１／１５となっている。
【００２８】
次に図４のフローチャートに戻り、ＴＶアプリケーション６０の送信・受信部６４は、ＨＤＤ２０に記憶された個人用データベースの評価情報をサーバ装置１に送信する（ステップＳ１０４）。個人用データベースの評価情報を受信したサーバ装置１の評価結果情報作成部２は、複数のコンピュータから受信した個人用データベースの評価情報を集計し、評価結果情報である総合データベースを作成する（ステップＳ１０５）。総合データベースは、図５および図６に示すように、個人用データベースと同様の構成となっている。
【００２９】
ＴＶアプリケーション６０の送信・受信部６４は、例えば定期的にインターネット４を介してサーバ装置１から評価結果情報である総合データベースおよび番組情報を受信する（ステップＳ１０６）。番組情報は、例えばＥＰＧ（Electronic Program Guide）データが挙げられる。なお、先述の通り、評価情報はサーバ装置１から取得し、番組表情報はＴＶチューナーユニット２７で受信する放送波に重畳されるデータを使用して取得するようにしても良い。
【００３０】
ＴＶアプリケーション６０の集計・制御部６１は、受信した評価結果情報である総合データベースを番組表に反映する処理を行う（ステップＳ１０７）。ＴＶアプリケーション６０の表示部６３は、評価結果情報である総合データベースが反映された番組表をＬＣＤ１５等に表示する（ステップＳ１０８）。例えば図７に示すように、通常の番組表の番組名に併記して評価レベルを表示するようにする。すなわち、ＥＰＧの番組名の横等に（４）や（５）のマークを表示して、評価４または５であることを示す。その番組を詳細表示した場合、例えば図１０に示すように評価結果の詳細を表示する。また、例えば図８に示すように、評価レベルに応じて色分けをした表示を行うこともできる。図８に示した例では、評価レベルが４または５の番組の色を変えて表示させている。
【００３１】
なお、これらの評価結果情報である総合データベースが反映された番組表を用いて、コンピュータやＨＤＤレコーダ等の自動録画機能により、例えば「評価５の番組はすべて録画する」といった設定を行うことができる。その他には、「評価平均＝５の出演者が出演する番組を録画する」（出演者と番組名のデータベースは別途準備されており、出演者名から番組名を抽出する）、「評価平均＝＞４でかつ評価回数が３回以上の出演者が出演する番組を録画する」、「最終評価日が６ヶ月以上前の場合は、データベースから対象出演者のデータを削除する」等、評価結果情報である総合データベースが反映された番組表を用いて、様々な条件を設定して予約録画を行うことができる。
【００３２】
次に、図９を参照して、ユーザによる番組の評価方法について説明する。
【００３３】
まず、番組データの視聴後に以下のような表示が行われる。「この番組を５点満点で評価してください。１〜５のいずれかのボタンを押してください。」そして、ユーザは、リモコンの１〜５のいずれかの数字ボタンを押す。
【００３４】
ＴＶアプリケーション６０の集計・制御部６１は、ユーザにより、評価対象である視聴後の番組データに対してキーボードやリモコン等から評価レベル（１〜５）が入力される（ステップＳ２０１）と、評価対象である番組データが個人用データベースに登録されている場合は（ステップＳ２０２のＹＥＳ）、該当の番組名の評価回数を＋１する（ステップＳ２０４）。同時に評価レベル、評価日時等も記憶する。一方、ステップＳ２０２で評価対象である番組データが個人用データベースに登録されていない場合は（ステップＳ２０２のＮＯ）、番組名を新規で個人用データベースに追加する（ステップＳ２０３）。次に、ステップＳ２０４からステップＳ２０５に遷移し、ＴＶアプリケーション６０の集計・制御部６１は、該当の番組名の各評価（１〜５）の選択回数の中で今回の評価の回数を＋１にする（ステップＳ２０５）。続いて、ＴＶアプリケーション６０の集計・制御部６１は、該当の番組名の評価合計と評価平均を求め（ステップＳ２０６）、該当の番組名の最終評価日を更新する（ステップＳ２０７）。
【００３５】
以上のように個人用データベースを作成し、サーバ装置１に送信する。
【００３６】
以上、本発明によれば、ユーザ自身が視聴した番組の評価を行い、この評価を番組表や自動録画に反映することができ、所望の番組を録画できる確率を向上させることができる。また、ユーザ以外の評価情報についても番組表に反映され、一般的な評価情報を参考に予約録画や自動録がを行うことができる。
【００３７】
なお、上述した実施形態では、ＴＶチューナーユニットによって受信する番組データについて説明したが、ＩＰ接続部によってインターネット経由で受信する番組データについても同様に適用でき、同様の効果を奏することができる。
【００３８】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３９】
【図１】本発明の一実施形態に係る番組評価システムの構成を示した模式図。
【図２】本発明の一実施形態に係る情報処理装置のシステム構成を示すブロック図。
【図３】ＴＶアプリケーションを示した機能ブロック図。
【図４】本発明の実施形態に係る情報処理装置を適用した番組評価システムの処理の流れについて説明したフローチャート。
【図５】個人用データベースを番組名について作成した場合を示す模式図。
【図６】個人用データベースを出演者について作成した場合を示す模式図。
【図７】評価結果情報である総合データベースを番組表に反映する処理を行い、評価レベルを番組名横に表示させた状態の番組表を示す模式図。
【図８】評価結果情報である総合データベースを番組表に反映する処理を行い、評価レベルが４または５である番組について色を変えて表示させた状態の番組表を示す模式図。
【図９】番組の評価処理について説明したフローチャート。
【図１０】選択された番組の詳細表示を示した模式図。
【符号の説明】
【００４０】
１…サーバ装置、２…評価結果作成手段、３…通信部、４…インターネット、１０…コンピュータ、１１…ＣＰＵ、１７…グラフィクスコントローラ、１６…サウスブリッジ、２０…ハードディスク、２２…ＥＣ／ＫＢＣ、２７…ＴＶチューナーユニット、５０…ＩＰ接続部、６０…ＴＶアプリケーション、６１…集計・制御部、６２…再生部、６３…表示部、６４…送信・受信部
【図１】
2008199103.tif 000003
【図２】
2008199103.tif 000004
【図３】
2008199103.tif 000005
【図４】
2008199103.tif 000006
【図５】
2008199103.tif 000007
【図６】
2008199103.tif 000008
【図７】
2008199103.tif 000009
【図８】
2008199103.tif 000010
【図９】
2008199103.tif 000011
【図１０】
2008199103.tif 000012